(57)【特許請求の範囲】
【請求項１】
外筒を有し、この外筒をボトルの口部に挿入させて該口部に固定される親キャップと、その外筒に挿入して原料収納部となる内筒を有するとともに、外筒の上端開口をボトルの口部と共に開閉する子キャップと、その内筒の下端開口を封止する底蓋とからなり、子キャップを開く方向に回すことにより、底蓋が内筒から分離され、内筒内の原料がボトル内に放出されるボトルキャップにおいて、前記外筒の下端には、下方へ延びる底蓋止め部が一体に突設されているのに対し、前記底蓋には、その周方向に延びる爪部が一体に突設され、この爪部は、前記子キャップを開く方向に回したとき、前記底蓋止め部を挟むようにこれと係合することにより、底蓋を回り止めして前記内筒から分離させるとともに、内筒から分離した底蓋を前記底蓋止め部に揺動自在に吊持することを特徴とするボトルキャップ。
【請求項２】
爪部は、底蓋の外周面との間に、底蓋止め部を受け入れる隙間を形成しながら周方向に延びて弾性を有し、その一部に、受け入れた底蓋止め部を周方向に越えることによりそれからの周方向の抜脱を防止する抜け止め突部を形成しているのに対し、底蓋止め部は、爪部の下方移動を規制して底蓋の落下を防止する落下防止突部を形成していることを特徴とする請求項１に記載のボトルキャップ。
【請求項３】
底蓋の外周面は、爪部を突設した部分より下側部分が、底蓋を先細とする傾斜面となっていることを特徴とする請求項１又は２に記載のボトルキャップ。
【請求項４】
底蓋の外周面の爪部が延びている部分に、爪部との隙間を確保するための凹部が形成されていることを特徴とする請求項１、２又は３に記載のボトルキャップ。
【請求項５】
底蓋の上端であって、爪部突設部分とは反対側に、内筒から分離した底蓋と外筒の開口縁との間に隙間を形成させるスペーサ突部が一体に突設されていることを特徴とする請求項１、２、３又は４に記載のボトルキャップ。
【発明の詳細な説明】
【技術分野】
【０００１】
本発明は、粉末状又は液状の原料を収容する原料収容部を有し、開栓操作に伴い原料収容部の底蓋を脱落させて原料をボトル内に放出するボトルキャップに関するものである。
【背景技術】
【０００２】
本発明者は、この種のボトルキャップとして、特許文献１（特開２００４−１０６８８８号公報）及び特許文献２（特開２００５−８８９９７号公報）に開示されたものを既に提案している。
これらに記載のボトルキャップは、ボトルの口部に挿入する外筒を備えた親キャップと、その外筒に挿入して原料収納部となる内筒を備えた子キャップと、その内筒の下端開口を封止する底蓋とからなり、親キャップのキャップ本体部をボトルの口部に被せて緊締するとともに、子キャップを親キャップの外筒に螺合させることにより、この外筒の上端開口とともにボトルの口部を封止でき、また、子キャップを親キャップの外筒に対し開く方向に回すことにより、底蓋が親キャップの外筒の下端により内筒から脱落され、内筒内の原料がボトル内に放出されるようになっている。
【０００３】
このようなボトルキャップでは、親キャップと子キャップと底蓋の組み立ては、子キャップの内筒を親キャップの外筒に挿入して、子キャップを親キャップの外筒に螺合させ、内筒の下端開口部が外筒の下端開口より突出するところまで、子キャップを親キャップに対してねじ込み、つまり、親キャップと子キャップとを完全に組み立てた後、原料収納部である内筒中に原料（粉末や顆粒）を充填し、次いで、内筒の下端開口を底蓋で封止する。この後、親キャップのキャップ本体をボトル口部に螺合して、内筒を外筒の一部と共にボトルの口部中に挿入し、本ボトルキャップをボトル口部に装着する。
【０００４】
しかし、原料を内筒中に充填する際に、原料が内筒の外面に付着するばかりでなく、外筒の外面にも付着し、さらには内筒と外筒の間にまで浸入するため、原料充填後に本ボトルキャップの洗浄を行っているが、その洗浄を充分に行えない問題があった。
【０００５】
特許文献１の図４〜図６には、底蓋を可撓性の連結片にて外筒と連結し、底蓋が、親キャップの外筒の下端により内筒から脱落された後に、外筒に対して懸垂状態となり、親キャップからも分離してボトル内に沈んでしまわないようにしたものが示されている。
【０００６】
しかし、底蓋を可撓性の連結片にて外筒と連結する構造では、底蓋と連結片とを一体に樹脂成型することは比較的に容易であっても、さらに外筒（親キャップ）とまで一体に樹脂成型することは非常に難しい。一方、底蓋と連結片とは一体に樹脂成型し、連結片は外筒に溶着することも考えられるが、溶着工程の増加により製造コストが高くなる。
【特許文献１】特開２００４−１０６８８８号公報
【特許文献２】特開２００５−８８９９７号公報
【発明の開示】
【発明が解決しようとする課題】
【０００７】
本発明の第１の課題は、子キャップの内筒から分離してその下端開口を開放した後の底蓋が、ボトル内に落ち込んでしまわないように、親キャップの外筒に保持できるようにするとともに、その保持を容易に、しかも単純で製造容易な保持構造にできるボトルキャップを提供することにある。
【０００８】
本発明の第２の課題は、子キャップの内筒から分離した底蓋が落ち込まないように外筒に保持するようにしても、親キャップ、子キャップ及び底蓋の３部品の組み立てが容易で、自動組立装置の機構を簡素化でき、その設備費及びランニングコストを低減できるとともに、組み立て時間の短縮化が図れ、さらに、洗浄の容易性、洗浄ムラの解消、洗浄装置の簡素化も図れるようにすることにある。
【課題を解決するための手段】
【０００９】
請求項１に係る本発明は、上記第１及び第２の課題を達成するため、外筒６を有し、この外筒６をボトル５０の口部５０ａに挿入させて該口部５０ａに固定される親キャップ１と、その外筒６に挿入して原料収納部となる内筒９を有するとともに、外筒６の上端開口をボトル５０の口部５０ａと共に開閉する子キャップ２と、その内筒９の下端開口を封止する底蓋３とからなり、子キャップ２を開く方向に回すことにより、底蓋３が内筒９から分離され、内筒９内の原料１２がボトル５０内に放出されるボトルキャップにおいて、外筒６と底蓋３とに次のような部分を設けたことを特徴とする。
【００１０】
すなわち、外筒６の下端には、下方へ延びる底蓋止め部６ｇが一体に突設されているのに対し、底蓋３には、その周方向に延びる爪部３ｉが一体に突設されている。この爪部３ｉは、子キャップ２を開く方向に回したとき、底蓋止め部６ｇを挟むようにこれと係合することにより、底蓋３を回り止めして内筒９から分離させるとともに、内筒６から分離した底蓋３を底蓋止め部６ｇに揺動自在に吊持する。
【００１１】
その好ましい実施形態である請求項２に係る発明では、爪部３ｉは、底蓋３の外周面との間に、底蓋止め部６ｇを受け入れる隙間３ｊを形成しながら周方向に延びて弾性を有し、その一部に、受け入れた底蓋止め部６ｇを周方向に越えることによりそれからの周方向の抜脱を防止する抜け止め突部３ｎを形成しているのに対し、底蓋止め部６ｇは、爪部３ｉの下方移動を規制して底蓋３の落下を防止する落下防止突部６ｉを形成している。
【００１２】
同じく請求項３に係る発明では、底蓋３の外周面の下側部分、つまり、爪部３ｉを突設した部分より下側部分が、底蓋３を先細とする傾斜面３ｌとなっている。
同じく請求項４に係る発明では、底蓋３の外周面の爪部３ｉが延びている部分に、爪部３ｉとの隙間３ｊを確保するための凹部３ｑが形成されている。
請求項５に係る発明では、底蓋３の上端であって、爪部突設部分とは反対側に、内筒９から分離した底蓋３と外筒６の開口縁との間に隙間を形成させるスペーサ突部３ｐが一体に突設されている。
【発明の効果】
【００１３】
請求項１に係る発明によると、開栓するために子キャップを開く方向に回すと、その下端開口を封止している底蓋も子キャップと一体に回るが、底蓋に一体に突設されて周方向に延びる爪部が、親キャップの外筒の下端から突設された底蓋止め部を挟むようにしてこれと係合するので、子キャップはさらに回りながら外筒に対して上昇して行くが、底蓋は底蓋止め部により回り止めされるとともに、外筒の下端縁にて上昇を規制されるため、底蓋が内筒から分離する。分離した底蓋は、それに突設した爪部により、底蓋止め部に揺動自在に吊持され、内筒の下端開口を開放したままボトル内での落下を防止される。
従って、次のような効果がある。
（１）底蓋の誤飲を防止できるとともに、廃棄処分するときに親キャップをボトルから外せば、底蓋もボトル内に残らないため、底蓋がボトルの再生処理の障害にならない。
（２）外筒の下端に底蓋止め部を突設する一方、底蓋に爪部を突設し、底蓋が子キャップと共に回ることを利用して、爪部で底蓋止め部を挟むようにすることにより、底蓋が内筒から分離するとともに、底蓋止め部に揺動自在に吊持されるため、底蓋の内筒からの分離及び外筒からの落下防止を簡単に行える。
（３）内筒から分離した底蓋が落ち込まないように外筒に保持するようにしても、親キャップと子キャップと底蓋の組み立てが容易で、自動組立装置の機構を簡素化でき、その設備費及びランニングコストを低減できるとともに、組み立て時間の短縮化が図れ、さらに、洗浄の容易性、洗浄ムラの解消、洗浄装置の簡素化も図れる。
【００１４】
請求項２に係る発明によると、爪部が、底蓋の外周面との間に隙間を形成しながら周方向に延びて弾性を有し、底蓋が内筒と共に回ると、この隙間に外筒の底蓋止め部が入り込み、爪部の抜け止め突部が外筒の底蓋止め部を強制的に越えると、爪部が底蓋止め部から周方向に抜け止めされる。そして、この状態で、爪部が底蓋止め部の落下防止突部により落下を防止されて底蓋が底蓋止め部に吊持されるので、開栓操作に伴い底蓋が子キャップと共に回るだけで、底蓋を内筒から分離させてその下端開口を開放することができるとともに、その分離した底蓋を外筒に保持できるので、 底蓋の内筒からの分離及び外筒からの落下防止構造が単純で、成型及び組み立てが容易である。
【００１５】
請求項３に係る発明によると、底蓋の外周面は、爪部を突設した部分より下側部分が、底蓋を先細とする傾斜面となっているので、内筒から分離してその下端開口を開口した底蓋の開き角度を大きく確保できる。
【００１６】
請求項４に係る発明によると、底蓋の外周面の爪部が延びている部分に、爪部との隙間を確保するための凹部が形成されているので、上記のような機能の爪部を底蓋に突設しても、底蓋の外周サイズを抑えることができる。
【００１７】
請求項５に係る発明によると、内筒を開放した後の底蓋が、ボトル内の液注出に伴い外筒の下端開口に接近しても、底蓋の上端に突設されたスペーサ突部が外筒の下端開口縁との間に隙間を形成させるので、底蓋が底蓋止め部に揺動自在に吊持される構造であっても、ボトル内の液注出が底蓋で妨げられることはない。
【発明を実施するための最良の形態】
【００１８】
次に、本発明の好適な実施例を図面に基づいて詳細に説明する。
【実施例】
【００１９】
本実施例のボトルキャップは、図１にその全体斜視図、図２に全体断面図を示すように、それぞれ樹脂成型された親キャップ１と子キャップ２と底蓋３とからなる。
【００２０】
親キャップ１は、図２に鎖線で示したポリエチレンテレフタレート製のペットボトル５０（以下、ボトルと記す）と同じくポリエチレンテレフタレート製で、その口部５０ａに被せるキャップ本体部５に、上下両端が開口した外筒６を一体に設けている。図４及び図５にも示すように、外筒６は、キャップ本体部５の頂部５ａを上下に一体に貫通しており、頂部５ａより上側に突出した上部は、上端が開口する口部６ａとなり、また頂部５ａより下側に突出した下部は、キャップ本体部５の胴部５ｂとの間に間隙５ｃを形成しながらその下端よりも下方に垂下して下端が開口する垂下筒部６ｂとなっている。
【００２１】
この垂下筒部６ｂには、その内外を貫通して途中から下端まで達する縦長の複数のスリット６ｃが形成され、垂下筒部６ｂは、このスリット６ｃの上端部分から下端に向かって徐々に細くなり、その途中からの内径は底蓋３の外径よりも小さく、この部分の外周面全周には補強のために縦長の凸条６ｊが形成されている。スリット６ｃより上側の垂下筒部６ｂの外周面には、一周する環状のシール用突部６ｄが形成されている。また、頂部５ａの下面には、先端縁（下端縁）が尖鋭な環状歯部５ｄが間隙５ｃ内において一体に突出形成されている。
【００２２】
外筒６の口部６ａの外周面には、雄ねじ６ｅが形成されているとともに、その終端と頂部５ａとの間に、子キャップロック用鍔部６ｆが一体に設けられている。一方、外筒６の垂下筒部６ｂの下端縁（垂下筒部６ｂの下端開口６ｈの周縁）の一カ所に、板片状の底蓋止め部６ｇが下向きに一体に突出形成されている。この底蓋止め部６ｇの下端には、その両側面に膨らむ落下防止突部６ｉが形成されている。
【００２３】
キャップ本体部５の胴部５ｂの内周面には、その下端に、内周面を一周する環状の抜け止め用突部５ｅが一体に形成されているとともに、これより距離Ｌだけ離れたその上側に、同じく内周面を一周する環状の緊締用突部５ｆが一体に形成されている。さらに、キャップ本体部５の胴部５ｂの外周面には、抜け止め用突部５ｅとは反対となる下端部分に、胴部５ｂの肉厚を外側に厚くする補強用鍔部５ｇが一体に形成されているとともに、これより上側の外周面にローレット５ｈが形成されている。
【００２４】
子キャップ２は、従来と同様に、原料及び圧力気体充填部（カプセル）となる内筒９を、キャップ本体部８の頂部８ａの下面から下向きに一体に突設するとともに、この内筒９の外周の至近位置において、肉薄の短い密閉リング１０を頂部８ａから下向きに一体に突設している。内筒９は、キャップ本体部８の胴部８ｂとの間に隙間８ｃを形成しながらそれよりもはるかに長く突出し、その突出した下端のみ開口している。
【００２５】
このようにして下端開口９ｃを形成した内筒９は、親キャップ１の外筒６の内径よりも下端部を除いて外径が小さく、外筒６との間に隙間７を形成して挿入できるようになっているが、長さは外筒６よりも若干長くなっている。内筒９の下端は外側に膨らむシール用突縁９ａとなっているとともに、この突縁９ａに続くその上側の外周面の全周に、浅いシール用環状溝９ｂを形成している。
【００２６】
キャップ本体部８の胴部８ｂの内周面には、外筒６の口部６ａの雄ねじ６ｅと螺合する雌ねじ８ｄが形成されている。一方、胴部８ｂの外周面には、指を掛けて開ける際の滑り止め用ローレット８ｅが刻設されている。
【００２７】
また、キャップ本体部８の胴部８ｂの下側には、ロック用分離リング１１が、小さな連結部であるブリッジ８ｆで胴部８ｂと僅かに一体に連結させて、キャップ本体部８と一体に樹脂成型されている。これらキャップ本体部８とロック用分離リング１１とは、このブリッジ８ｆが切断すると分離するようになっている。ロック用分離リング１１の内周面には、一周する環状の分離用突部１１ａが一体に形成されている。
【００２８】
底蓋３は、オレフィン系樹脂、例えば、透明なポリエチレンテレフタレートで一体成型され、図６〜図８にその詳細を示すように、上面周縁で立ち上がる外周壁３ａと、この内側でこれよりも高く立ち上がる内周壁３ｂとを一体に突出形成し、これら内周壁３ｂと外周壁３ａとの間が環状凹溝３ｃとなっている。そして、この環状凹溝３ｃの底面に、図２及び図５に示すように、小さいシール用突部３ｄを環状に形成し、また、外周壁３ａの内周面に、一周する環状の小さいシール用溝３ｅ、及び一周する環状の小さいシール用突部３ｋを形成している。
【００２９】
さらに、底蓋３の上面には、内周壁３ｂの内側において十字状となる補強リブ３ｆが形成され、下面には、その円形凹部内において環状の補強凸部３ｇと、この外周で放射状となる補強リブ３ｈが形成されている。
【００３０】
また、底蓋３の外周面には、爪部３ｉが、底蓋３の外周面との間に、外筒６の底蓋止め部６ｇを受け入れることができる隙間３ｊを形成しながら、しかも、底蓋３の外周面に沿って湾曲しながら、周方向に延びて弾性を有するように一体に突設されている。爪部３ｉの先端部は矢尻状となっている。
【００３１】
底蓋３の外周面には、爪部３ｉとの隙間３ｊを確保するために、爪部３ｉが延びている部分に凹部３ｑが形成されている。また、底蓋３の外周面の下側角部は、その全周が底蓋３を先細とする傾斜面となっているが、凹部３ｑを形成した部分の傾斜面３ｌは、他の部分よりも傾斜角度が大きくなっている。この凹部３ｑの中途と爪部３ｉの中途には、隙間３ｊを一部分だけ狭くする抜け止め突部３ｍ・３ｎが対向して形成されている。
【００３２】
さらに、底蓋３の外周壁３ａの上縁には、爪部３ｉと反対側に、弾性を有する板片状のスペーサ突部３ｐが上向きに一体に突設されている。
【００３３】
一方、ボトル５０の口部５０ａの外周面には、雄ねじ５０ｂと補強用鍔部５０ｃとの間においてロック用鍔部５０ｄが一体に突出形成されている。このロック用鍔部５０ｄの上面は円弧をもって傾斜する斜面であるが、下面は水平面となっている。このようなボトル口部５０ａの構造は、ボトルのサイズの大小に関係なく、通常のペットボトルでは共通である。
【００３４】
このような構成とした本実施例のボトルキャップは、親キャップ１と子キャップ２と底蓋３の３つの部品を次のようにして組み立てる。
【００３５】
図２に示すように、子キャップ２の内筒９を親キャップ１の外筒６に挿入し、子キャップ２を回しながらその雌ねじ８ｄを親キャップ１の雄ねじ６ｅに螺合させると、子キャップ２のロック用分離リング１１の内周面の分離用突部１１ａが、親キャップ１の子キャップロック用鍔部６ｆを強制的に越えてその直近に位置し、子キャップ２が親キャップ１に対してロックされる。さらに、子キャップ２の頂部８ａが外筒６の口部６ａの上周縁に圧接するとともに、密閉リング１０が外筒６の口部６ａ内に圧入して、子キャップ２の胴部８ｂの角部とで外筒６の口部６ａを内外から挟持する状態となり、外筒６の口部６ａが高いシール性をもって封止される。その反対側では、内筒９のシール用環状溝９ｂが有る先端部分が外筒６から突出するとともに、外筒６の垂下筒部６ｂの先端内周縁が内筒９のシール用環状凹溝９ｂの至近位置で内筒９の外周面に圧接し、内筒９の外周面と外筒６の内周面との間がこの位置でシールされる。
【００３６】
このようにした親キャップ１及び子キャップ２を逆さにし、窒素ガス等の圧力気体雰囲気内で子キャップ２の内筒９内に原料１２を入れておいてから、底蓋３の内周壁３ｂを内筒９内に押し込むようにして、底蓋３の環状凹溝３ｃに内筒９の下端部を嵌合させる。これにより、内筒９の下端部が環状凹溝３ｃに圧入した状態となり、環状凹溝３ｃの内部では、そのシール用溝３ｅに内筒９の膨らんだ突縁９ａが嵌合するとともに、内筒９のシール用環溝９ｂにシール用突部３ｋが嵌合し、さらに、内筒９の下端がシール用突部３ｄに圧接し、内筒９の下端開口と底蓋３の環状凹部３ｃとの間は、環状凹部３ｃ内で三重にシールされることになる。
【００３７】
上記のように、原料１２が充填された内筒９の下端開口を底蓋３で封止した後、外面を洗浄するが、特に、底蓋３自体及びその周辺には洗浄液が入り込むような小さい隙間が存在しないので、原料が外面に残ることはない。
【００３８】
洗浄した本実施例のボトルキャップを、ボトル５０の口部５０ａに装着する場合、外筒６をボトル口部５０ａ内に挿入し、親キャップ１を閉じる方向に回して、そのキャップ本体部５の環状の緊締用突部５ｆをボトル口部５０ａの雄ねじ５０ｂに噛み合わせて螺進させ、親キャップ１のキャップ本体部５の抜け止め用突部５ｅがボトル口部５０ａ側のロック用鍔部５０ｄを強制的に越えて、キャップ本体部５の環状歯部５ｄがボトル口部５０ａの開口縁に食い込む状態となるまで、親キャップ１をさらに閉じる方向に回してボトル口部５０ａを封止する。この状態では、外筒６の外周面のシール用突部６ｄもボトル口部５０ａの内周面に圧接するので、親キャップ１とボトル口部５０ａとは、その圧接と環状歯部５ｄの食い込みとによって二重にシールされる。
【００３９】
このボトルキャップを開栓するには、子キャップ２を親キャップ１に対し開く方向に回す。すると、子キャップ２は、親キャップ１の外筒６の口部６ａに対して上側へ螺進して行くが、子キャップ２のロック用分離リング１１は、親キャップ１側の子キャップロック用鍔部６ｆにより上昇を規制されるため、図３に示すように、キャップ本体部８との連結部であるブリッジ８ｆが切断してロック用分離リング１１が分離する。
【００４０】
子キャップ２を回すと、その内筒９が底蓋３を伴って回りながら上昇する。底蓋３が回ると、これに突設された爪部３ｉが、図９において矢印で示すように、外筒６の下端縁に突設された底蓋止め部６ｇに接近して行くので、この底蓋止め部６ｇが、爪部３ｉと底蓋３の外周面との間の隙間３ｊに入り込む。底蓋止め部６ｇは、爪部３ｉの抜け止め突部３ｎと底蓋３の外周面の抜け止め突部３ｍとの間にさしかかると、爪部３ｉの弾性によりこれを押し開きながら、これら突部３ｍ・３ｎを強制的に越えて隙間３ｊのさらに奥へと入り込む。底蓋止め部６ｇが、図９にハッチングで示したように、爪部３ｉの基端に達すると、底蓋３は底蓋止め部６ｇにより回り止めされるとともに、外筒６の下端縁により上昇を規制されるのに対し、内筒９はさらに回りながら上昇するので、底蓋３が内筒９から外れて分離する。
【００４１】
これが分離すると、内筒９の下端開口が開放し、内筒９内の原料１２が圧力気体と共にボトル５０内に一気に噴出される。しかし、底蓋３の爪部３ｉが外筒６の底蓋止め部６ｇを挟むようにこれと係合し、爪部３ｉの下降移動が底蓋止め部６ｇの下端の落下防止突部６ｉにて規制されるとともに、抜け止め突部３ｍ・３ｎにより、底蓋止め部６ｇに対する周方向の抜脱も防止されるため、底蓋３は、図３に示すように底蓋止め部６ｇに揺動自在に吊持される。このとき、底蓋３の外周面の下側角部は、爪部３ｉが存在するところの傾斜面３ｌが他の部分よりも傾斜角度が大きいため、底蓋３は、内筒９を元のところまで戻してもその下端開口９ｃから充分に離れて開放状態を保持する。
【００４２】
子キャップ２を抜き取った後、ボトル５０内の液を注出するのに伴い、その流れにより底蓋３が外筒６に当たっても、底蓋３の外周壁３ａの上縁にはスペーサ突部３ｐが突設されているので、このスペーサ突部３ｐにより外筒６の下端縁との間に隙間を形成することができ、また、外筒６には複数のスリット６ｃが形成されているので、液注出の支障とはならない。
【００４３】
子キャップ２を親キャップ１から外した後、親キャップ１をボトル口部５０ａから外そうとして、親キャップ１をボトル口部５０ａの雄ねじ５０ｂに対して緩む方向に回すと、親キャップ１のキャップ本体部５の環状の緊締用突部５ｆは、ボトル口部５０ａの雄ねじ５０ｂの上端を超え、親キャップ１はボトル口部５０ａに対して空転する。しかし、このような状態となっても、キャップ本体部５の抜け止め用突部５ｅは、緊締用突部５ｆと距離Ｌだけ離れているため、ボトル口部５０ａ側のロック用鍔部５０ｄの下側に位置したままとなり、親キャップ１をボトル口部５０ａから無理に引き抜こうとしても、抜け止め用突部５ｅがロック用鍔部５０ｄを乗り越えることができないので、親キャップ１の引き抜きは防止される。底蓋３は、親キャップ１がボトル口部５０ａに残っている限り、ボトル５０の外側へ抜け出ることができない。
【００４４】
親キャップ１及び底蓋３はボトル５０に残ったままとなるが、ボトル５０と同じポリエチレンテレフタレート製であるので、ボトル５０と共にペットボトルリサイクル処理できる。
【図面の簡単な説明】
【００４５】
【図１】本発明の実施例のボトルキャップの全体斜視図である。
【図２】本発明の実施例のボトルキャップをボトルに装着した状態の全体断面図である。
【図３】本発明の実施例のボトルキャップにおいて、底蓋が開いた状態を示す全体断面図である。
【図４】本発明の実施例のボトルキャップにおける親キャップを下方側から視た斜視図である。
【図５】本発明の実施例のボトルキャップにおいて、子キャップを親キャップから抜き取った状態を示す断面図である。
【図６】本発明の実施例のボトルキャップにおける底蓋の斜視図である。
【図７】本発明の実施例のボトルキャップにおいて、外筒の底蓋止め部を鎖線で示した底蓋の下方側から視た斜視図である。
【図８】本発明の実施例のボトルキャップにおける底蓋の平面図である。
【図９】本発明の実施例のボトルキャップにおいて、底蓋が回ることにより外筒の底蓋止め部との関係が変化することを示す底面図である。
【符号の説明】
【００４６】
１  親キャップ
２  子キャップ
３  底蓋
３ａ  外周壁
３ｂ  内周壁
３ｃ  環状凹溝
３ｄ  シール用突部
３ｅ  シール用溝
３ｆ  補強リブ
３ｇ  補強凸部
３ｈ  補強リブ
３ｉ  爪部
３ｊ  隙間
３ｋ  シール用突部
３ｌ  傾斜面
３ｍ・３ｎ  抜け止め突部
３ｐ  スペーサ突部
３ｑ  凹部
５  キャップ本体部
５ａ  頂部
５ｂ  胴部
５ｃ  間隙
５ｄ  環状歯部
５ｅ  抜け止め用突部
５ｆ  緊締用突部
５ｇ  補強用鍔部
５ｈ  ローレット
６  外筒
６ａ  口部
６ｂ  垂下筒部
６ｄ  シール用突部
６ｅ  雄ねじ
６ｆ  子キャップロック用鍔部
６ｇ  底蓋止め部
６ｈ  下端開口
６ｉ  落下防止突部
６ｊ  凸条
７  間隙
８  キャップ本体部
８ａ  頂部
８ｂ  胴部
８ｃ  隙間
８ｄ  雌ねじ
８ｅ  ローレット
８ｆ  ブリッジ
９  内筒
９ａ  突縁
９ｂ  シール用環状溝
９ｃ  下端開口
１０  密閉リング
１１  ロック用分離リング
１１ａ  分離用突部
１２  原料
５０  ボトル
５０ａ  口部
５０ｂ  雄ねじ
５０ｃ  補強用鍔部
５０ｄ  ロック用鍔部
【図１】
0005184191.tif 000002
【図２】
0005184191.tif 000003
【図３】
0005184191.tif 000004
【図４】
0005184191.tif 000005
【図５】
0005184191.tif 000006
【図６】
0005184191.tif 000007
【図７】
0005184191.tif 000008
【図８】
0005184191.tif 000009
【図９】
0005184191.tif 000010